(57)【要約】      （修正有）【課題】首の前の部分でピタッと当たる首当て部があると共に、首の隙間から入ってこようとする風や、胸の正面から吹いて来て着衣の隙間に入ろうとする風を、よく阻止することができるようになり、風を通し難い布でマフラーを作った場合、バイクに乗った時などでも風を通すことなく、保温性を害される事がないマフラーを提供する。【解決手段】マフラー１を、人の胸を覆う大きさの略四角形をした胸当て部５と、該胸当て部５の一辺から間隔６をおいて平行して延びるよう設けられた第１脚部２および第２脚部３とで構成する。該第１脚部２と第２脚部３の根元の間の部分は、人の首に隙間なく当て得るよう湾曲した形状とし、ここは首当て部４とする。着用するときは、首当て部４を首に当て、胸当て部５は胸に当て、第１脚部２，第２脚部３を背中から前に回し、その端部を胸の前で結ぶ。【選択図】図１
0003114602.tif 000002
【実用新案登録請求の範囲】
【請求項１】
人の胸を覆う大きさの略四角形をした胸当て部と、
該胸当て部の一辺から間隔をおいて平行して延びるよう設けられた第１脚部および第２脚部と、
上記第１脚部と第２脚部の根元の間の部分であって、人の首に隙間なく当て得るよう湾曲した形状とされた首当て部と
から成ることを特徴とするマフラー。
【考案の詳細な説明】
【技術分野】
【０００１】
本考案は、バイクに乗る時等に使用するのに好適なマフラーに関するものである。
【背景技術】
【０００２】
マフラーが持っている第１の特徴は、保温性を有するという点であり、第２の特徴はファッション性（装飾性）を有するという点である。保温性は、マフラーを首に巻くことにより、首と着衣の隙間から外気が入り込んで来るのを阻止することによってもたらされる。ファッション性は、マフラーの色，模様，形状あるいは首への巻き方等によってもたらされる。
【０００３】
従来のマフラーは、形状としては単に帯状とされているものとか、帯状とされているものの両端に、精々房のようなものが取り付けられているものとかが殆どである。
そして、マフラーの巻き方の代表的なものとしては、次のようなものがある。
（１）首のまわりを１回転させない巻き方…マフラーの略中央部分を首の後ろにあてがい、マフラーを首の両側から前へ出し、首の前で交叉させるという巻き方である。この場合、マフラーの両端部は、マフラーの上に着るコート等で押さえられる。
（２）首のまわりを１回転させる巻き方…マフラーの一部を首の後ろにあてがい、マフラーを首の両側から前へ出し、長い方の側を首の前を通って反対側の肩の後ろへ垂らすという巻き方である。この変形として、長い方の側を更に首の後ろを回し、他方の肩の前へ垂らすという巻き方もある。
【考案の開示】
【考案が解決しようとする課題】
【０００４】
従来のような単なる帯状のマフラーは、基本的には前記（１），（２）のような巻き方で使用するわけであるが、そうすれば次のような問題点があった。
即ち、前記（１）のような、首のまわりを１回転させない巻き方で使用する場合、首の前の部分から外気が入って来易く、保温性が害され易いという問題点があった。この巻き方では首の前で単に交叉され、マフラーの両側は単にコートの襟で軽く押さえられているだけであるので、首の前のところで弛み勝ちであり、ここから外気が入り込んで来る。バイクに乗ったりした場合、風が真正面から強く吹いて来るので、特によく入り込んで来る。
また、前記（２）のような、首のまわりを１回転させる巻き方で使用する場合、前記（１）の巻き方に比べて保温性は高められるものの、首の周りがどうしてもうず高くなってしまい、目視による後方等の安全確認がしづらくなると共に、ファッション性の面で制約となってしまうという問題点があった。
本考案は、以上のような問題点を解決することを課題とするものである。
【課題を解決するための手段】
【０００５】
前記課題を解決するため、本考案ではマフラーを、人の胸を覆う大きさの略四角形をした胸当て部と、該胸当て部の一辺から間隔をおいて平行して延びるよう設けられた第１脚部および第２脚部と、該第１脚部と第２脚部の根元の間の部分であって、人の首に隙間なく当て得るよう湾曲した形状とされた首当て部とから構成することとした。
【考案の効果】
【０００６】
本考案のマフラーによれば、首の前の部分にピタッと当たる首当て部があると共に、胸全体を覆う胸当て部を有しているので、首の隙間から入って来ようとする風や、胸の正面から吹いて来て着衣の隙間に入ろうとする風を、よく阻止することが出来るようになる。風を通し難い布でマフラーを作った場合、バイクに乗った時などでも風を通すことがなく、保温性が害されることがない。
また、マフラーの形状としても、大きな胸当て部と細くて長い２つの脚部というように、従来のマフラーとは大きく変わった形状をしているので、人の目を引き、ファッション性の面でも優れた効果を発揮する。
【考案を実施するための最良の形態】
【０００７】
以下、本考案の実施形態を図面に基づいて詳細に説明する。
図１は、本考案のマフラーを示す図である。図１において、１はマフラー、２は第１脚部、３は第２脚部、４は首当て部、５は胸当て部、６は間隔部である。
図１（１）は第１の実施形態のマフラー１を示している。マフラー１は、胸当て部５と第１脚部２と第２脚部３とから構成される。胸当て部５はほぼ四角形をしており、その１辺から、細長い長方形をした第１脚部２と第２脚部３とが、間隔部６の間隔をおいて平行して延びるよう設けられている。そして、第１脚部２，第２脚部３の先端は、自由端とされている。
第１脚部２と第２脚部３の根元の間の部分は、人の首に隙間なく当て得るよう湾曲した形状とされる。この部分は、首当て部４を形成する。首当て部４は、人の首の前（喉）に当てる部分として使用し、ここから風が入って来ないようにしたいので、ピタッと首に当たるよう、湾曲した形状としておくのが望ましい。
【０００８】
マフラー１は、勿論、布で作られるが、種々の材質の布を使用することが出来る。通常のマフラーを作る布を用いてもよいし、織り目が詰まって風を通し難い布を用いることも出来る。風を通し難い布で作った場合、バイクに乗った時などでも風を通さず、保温性が害されることがない。
図１（２）は第２の実施形態のマフラー１を示している。このマフラー１では、第１脚部２，第２脚部３の先端を丸くするなど、全体として角を丸くしたものである。
図１（３）は第３の実施形態のマフラー１を示している。このマフラー１では、間隔部６の幅は第１，第２の実施形態のものと同様であるが、第１脚部２，第２脚部３の幅を少し狭くしたものである。脚部は、背や胸に回して結んだりして使うが（その使い方は、後で図２等で説明する）、幅を狭くしておくと結んだりすることがやり易くなる。
【０００９】
図２は、本考案のマフラーの第１の使用例を説明する図である。符号は図１のものに対応し、７は人、８は結び目である。第１の使用例は、次のような使用の仕方である。
（１）先ず、図２（１）に示すように、胸当て部５を人７の胸に当て、首当て部４を首に当てる。そして、第１脚部２，第２脚部３は背後に送る。
（２）背後に送った第１脚部２，第２脚部３を、図２（２）に示すように、背中で交叉させる。
（３）図２（３）に示すように、第１脚部２，第２脚部３の端部を胸の前に回し、胸当て部５の裏側（つまり、胸当て部５と着衣との間）にて互いに結ぶ。８はその結び目である。
【００１０】
このようにして使用すると、首の前の部分には首当て部４がピタッと当てられることになるから、ここから風が入って来ることはなくなる。また、胸当て部５は、胸全体を覆っているから、織り目が詰まって風を通し難い布でマフラー１が作ってあると、正面からの風が中に入って来るのを阻止してくれる。
更に、第１脚部２，第２脚部３を背中から胸へと巻き付けた上で、その端部をしっかり結んで着用するから、着用中にマフラー１がずれることもない。
このようにマフラー１を着用した姿は、広くてよく目立つ胸当て部５の存在と、着用の仕方のユニークさとの相乗的効果により、女は勿論、男も惚れ惚れする颯爽としたものとなる。この上に革ジャンパーなどを着ると、ファッション性は更に優れたものとなる。
【００１１】
図３は、本考案のマフラーの第２の使用例を説明する図である。符号は図２のものに対応し、９は結び目である。第２の使用例は、次のような使用の仕方である。
（１）先ず、図３（１）に示すように、胸当て部５を人７の胸に当て、首当て部４を首に当てる。そして、第１脚部２，第２脚部３は背後に送る。
（２）背後に送った第１脚部２，第２脚部３を、図３（２）に示すように、首の後ろで交叉させる。
（３）図３（３）に示すように、第１脚部２，第２脚部３を首の横を通って前に出し、胸当て部５の裏側（つまり、胸当て部５と着衣との間）の首の前にて互いに結ぶ。９はその結び目である。
【００１２】
このようにして使用すると、首の前の部分には首当て部４がピタッと当てられる上に、第１脚部２，第２脚部３が首に巻かれて前で結ばれるから、首の前から風が入って来ることはなくなる。また、胸当て部５は、胸全体を覆っているから、第１の使用例と同様、織り目が詰まって風を通し難い布でマフラー１が作ってあると、正面からの風が中に入って来るのを阻止してくれる。
第１脚部２，第２脚部３を首に巻き付けた上で、その端部をしっかり結んで着用するから、やはり第１の使用例と同様、着用中にマフラー１がずれることもない。
【００１３】
図４は、本考案のマフラーの第３の使用例を説明する図である。これは第１の使用例と殆ど同じであるが、第１脚部２，第２脚部３の端部を結ぶ際、胸当て部５の表側で結ぶようにした点が相違している。このようにすると、胸当て部５がしっかりと固定されるので、胸当て部５の位置がいよいよずれ難くなる。
図５は、本考案のマフラーの第４の使用例を説明する図である。これは第２の使用例と殆ど同じであるが、第１脚部２，第２脚部３の端部を結ぶ際、胸当て部５の表側で結ぶようにした点が相違している。このようにすると、第２の使用例の場合とはファッション性が若干変わったものとなる。
【図面の簡単な説明】
【００１４】
【図１】本考案のマフラーを示す図
【図２】本考案のマフラーの第１の使用例を説明する図
【図３】本考案のマフラーの第２の使用例を説明する図
【図４】本考案のマフラーの第３の使用例を説明する図
【図５】本考案のマフラーの第４の使用例を説明する図
【符号の説明】
【００１５】
１…マフラー、２…第１脚部、３…第２脚部、４…首当て部、５…胸当て部、６…間隔、７…人、８，９…結び目
【図１】
0003114602.tif 000003
【図２】
0003114602.tif 000004
【図３】
0003114602.tif 000005
【図４】
0003114602.tif 000006
【図５】
0003114602.tif 000007